(57)【要約】【課題】本考案は、可動端子が破損し難いプッシュオンスイッチを提供することを目的とする。【解決手段】本考案のプッシュオンスイッチは、底壁と第１開口部が形成される前壁と収納穴とを含む絶縁性本体と、前記絶縁性本体の収納穴に露出される第１、第２固定端子と、前記絶縁性本体の収納穴に収納される可動端子と、可動端子の上に配置される駆動部材と、前記収納穴に移動可能に収納される操作部材とを備える。前記第１、第２固定端子には、それぞれ第１接点と第２接点が設けられる。前記可動端子は、前記第１固定端子の第１接点に接触する側部と、第２固定端子の第２接点の上に位置して該第２接点に接触可能な中央部とを有する。前記駆動部材は可動端子を押圧可能な接触部とスロットとを含む。駆動部材の接触部は該スロットによって弾性アーム状に形成される。【選択図】図４
0003140526.tif 000002
【実用新案登録請求の範囲】
【請求項１】
底壁と第１開口部が形成される前壁と収納穴とを含む絶縁性本体と、
前記絶縁性本体の収納穴に露出され、それぞれ第１接点と第２接点が設けられる第１、第２固定端子と、
前記絶縁性本体の収納穴に収納され、前記第１固定端子の第１接点に接触する側部と第２固定端子の第２接点の上に位置して該第２接点に接触可能な中央部とを有する可動端子と、
可動端子の上に配置される駆動部材と、
前記収納穴に移動可能に収納され、第１開口部から突出する操作部材と、
を備え、前記駆動部材は、前記可動端子を押圧可能な接触部とスロットとを含み、該接触部が該スロットによって弾性アーム状に形成されることを特徴とするプッシュオンスイッチ。
【請求項２】
前記スロットは接触部の外周に実質的なＵ字状に形成されることを特徴とする請求項１に記載のプッシュオンスイッチ。
【請求項３】
前記駆動部材の接触部が下向きに突出し、前記駆動部材には、上向きに傾斜して当接面を有する当接部が設けられ、前記操作部材には前記当接部の当接面に当接する傾斜面を含む押圧部が設けられることを特徴とする請求項１に記載のプッシュオンスイッチ。
【請求項４】
前記駆動部材には、係合溝が形成される係合部が設けられ、前記絶縁性本体の前壁には前記駆動部材の係合溝と係合する突出部が設けられることを特徴とする請求項１に記載のプッシュオンスイッチ。
【請求項５】
前記プッシュオンスイッチは前記絶縁性本体を被覆するカバーを具備することを特徴とする請求項１に記載のプッシュオンスイッチ。
【請求項６】
前記カバーには、係合孔が形成される複数の係合片が設けられ、前記絶縁性本体には、前記カバーの係合孔と係合する複数の凸状部片が設けられることを特徴とする請求項５に記載のプッシュオンスイッチ。
【請求項７】
前記絶縁性本体は、前記前壁と対向して第２開口部が形成される後壁を有し、前記カバーには前記第２開口部に嵌め込まれる延在片が設けられることを特徴とする請求項５に記載のプッシュオンスイッチ。
【請求項８】
前記第１、第２固定端子には、それぞれ絶縁性本体から導出される第１、第２半田接続部が設けられることを特徴とする請求項１に記載のプッシュオンスイッチ。
【考案の詳細な説明】
【技術分野】
【０００１】
本考案は、各種電子機器に使用される配線基板面に対して水平方向に押圧して操作するプッシュオンスイッチに関するものである。
【背景技術】
【０００２】
従来技術のプッシュオンスイッチとして、特許文献１に開示されたプッシュオンスイッチが知られ、このプッシュオンスイッチは、収納穴が形成される絶縁性本体と、該絶縁性本体に設置される第1、第２固定端子と、第１固定端子に接触する可動端子と、可動端子の上に配置されるボル状の駆動部材と、操作部材と、絶縁性本体に固着されるカバーとを備える。操作部材を後方側に水平に押し込む操作すると、駆動部材は、操作部材に駆動されることによって、下向きに移動して可動端子の中央部を押圧する。第１固定端子に接触する可動端子は、駆動部材が下向きに押圧されることによって、第２固定端子に接触する。第１、第２固定端子は、可動端子によって、互いに電気接続される。
【特許文献１】特開２００３―２５７２７７号公報
【考案の開示】
【考案が解決しようとする課題】
【０００３】
操作部材を水平に押し込む操作を行う過程においては、可動端子が第２固定端子に接触した後、操作部材がさらに推され易くなる。この時、特許文献１に掲示されるプッシュオンスイッチの可動端子は、全体の駆動部によって発生される押圧力を受けている。これにより、可動端子は常に押圧されるため、破損し易くなる。
【０００４】
そこで本考案の目的は、上述の従来技術の問題に鑑み、可動端子が破損し難いプッシュオンスイッチを提供することにある。
【課題を解決するための手段】
【０００５】
本考案のプッシュオンスイッチは、底壁と第１開口部が形成される前壁と収納穴とを含む絶縁性本体と、前記絶縁性本体の収納穴に露出される第１、第２固定端子と、前記絶縁性本体の収納穴に収納される可動端子と、可動端子の上に配置される駆動部材と、前記収納穴に移動可能に収納される操作部材とを備える。前記第１、第２固定端子は、それぞれ第１接点と第２接点が設けられる。前記可動端子は、前記第１固定端子の第１接点に接触する側部と、第２固定端子の第２接点の上に位置して該第２接点に接触可能な中央部とを有する。前記駆動部材は可動端子を押圧可能な接触部とスロットとを含む。駆動部材の接触部は該スロットによって弾性アーム状に形成される。
【考案の効果】
【０００６】
従来の技術に比較して本考案は以下の効果を有する。本考案のプッシュオンスイッチの操作部材が所定の位置まで到達した後さらに推される時、駆動部材が上昇し、弾性アーム状に設置される接触部がスロットから離れて下向きに突出して可動端子に当接する。この過程では、可動端子に加えられる圧力は接触部だけから発生する。従来技術に示される可動端子によって加えられる圧力が全体の駆動部材によって発生することに比較して、本考案の可動端子によって加えられる圧力は大いに低減される。よって可動端子は破損し難くなる。
【考案を実施するための最良の形態】
【０００７】
以下、この考案の実施の形態を添付の図を参照して説明する。
【０００８】
図１から図４を参照すると、該プッシュオンスイッチ１００は、収納穴１５が形成される絶縁性本体１０と、固定端子２０と、ドーム状の可動端子３０と、駆動部材４０と、収納穴１５に移動可能に収納される操作部材５０と、カバー６０とを備えている。
【０００９】
図１及び図２において、絶縁性本体１０は、底壁１１と、前壁１２と、該前壁１２と対向する後壁１３と、一対の側壁１４とを備えている。前記収納穴１５は前記底壁１１と前壁１２と後壁１３と一対の側壁１４とによって囲まれる。前記前壁１２と後壁１３には、それぞれ第１、第２開口部１６，１７が形成され、複数の凸状部片１８が設けられる。前壁１２には突出部１２１が設けられる。
【００１０】
固定端子２０は第１固定端子２１及び第２固定端子２２を含む。第１固定端子２１は一対の第１接点２１１と一対の第１半田接続部２１２を有する。第２固定端子２２は1つの第２接点２２１と一対の第２半田接続部２２２を有する。
【００１１】
ドーム状の可動端子３０は中央部３１と側部３２とを具備する。
【００１２】
駆動部材４０は、本体部４２と、本体部４２の前端から下向きに延在して係合溝４１１が形成される係合部４１と、本体部４２の後端から上向きに傾斜する当接部４３とを備えている。当接部４３の前表面は当接面４３１である。本体部４２には、下向きに突出する接触部４２１と、接触部４２１と本体部４２の間に形成される実質的なＵ字状のスロット４２３と、を有する。接触部４２１は、スロット４２３によって、弾性アームのように形成される。他の実施形態においては、接触部４２１が弾性アームの前端から下向きにＶ字状のように折り曲がれて形成される。
【００１３】
操作部材５０は、前端に設けられる操作部５０と、後端に設けられる一対の支持部５３と、該一対の支持部５３の間に設けられる押圧部５２とを備えている。押圧部５２には傾斜面５４が設けられる。
【００１４】
カバー６は、天板６１と、天板６１から下向きに突出する複数の係合片６２が設けられる。各係合片６２には係合孔６３が形成される。
【００１５】
図１から図４に示すように、該プッシュオンスイッチ１００を取り付ける時、先ず、固定端子２０が絶縁性本体１０の底壁１１に埋設される。第１、第２固定端子２１，２２の第１、第２接点２１１、２２１が収納孔１５に露出され、第１、第２半田接続部２１２、２２２が絶縁性本体１０から外へ導出される。第２接点２２１は一対の第１接点２１１の間に配置される。可動端子３０は絶縁性本体１０の収納穴１５に収納される。可動端子３０の側部３２は第１固定端子２１の第１接点２１１に接触するが、中央部３１は第２固定端子２２の第２接点２２１の上方に位置し、第２接点２２１には接触しない。
【００１６】
次に、駆動部材４０が可動端子３０に配置される。駆動部材４０の係合溝４１１は絶縁性本体１０の突出部１２１と係合する。操作部材５０は駆動部材４０の上に配置される。操作部材５０の操作部５１は絶縁性本体１０の第１開口部１６から外へ延在する。操作部材５０の押圧部５２の傾斜面５４は駆動部材４０の当接面４３１に当接する。最後に、カバー６０が絶縁性本体１０に取り付けられる。カバー６０の天板６１は絶縁性本体１０の上に被覆し、係合部６２の係合孔６３が絶縁性本体１０の凸状部片１８と係合し、延在片６４が絶縁性本体１０の第２開口部１７に嵌め込まれる。これにより、カバー６０は絶縁性本体１０に固着される。
【００１７】
図４に示すように、操作部材５０の操作部５１を後方側に水平に押し込む操作を行うと、操作部材５０の傾斜面５４が駆動部材４０の当接面４３１に当接することによって、駆動部材４０の本体部４２は、係合部４１を軸として下向きに撓む。操作部材５０が所定の位置まで到達する時、駆動部材４０の接触部４２１は可動端子３０の中央部３１を押圧する。側部３２が第１固定端子２１の第１接点２１１に接触している可動端子３０は、中央部３１が駆動部材４０に押圧された後、第２固定端子２２の第２接点２２１に接触する。これにより、可動端子３０によって、第１、第２固定端子２１，２２は電気接続される。
【００１８】
可動端子３０の中央部３１が第２固定端子２２の第２接点２２１に接触した後、操作部材５０をさらに押し込む操作を行うと、駆動部材４０が僅かに上昇し、弾性アーム状に設置される接触部４２１がスロット４２３から離れて下向きに突出して可動端子３０に当接する。この過程では、可動端子３０に加えられる圧力は接触部４２１だけから発生する。従来技術に示される可動端子によって加えられる圧力は全体の駆動部材４０によって発生する。これに比較して、本考案の可動端子３０によって加えられる圧力は大いに低減される。よって可動端子３０は破損し難くなる。
【００１９】
操作部材５０に加えられた操作力を除くと、可動端子３０が元の上方凸形状に復帰して、第１、第２端子２１，２２の第１、第２接点２１１，２２１が電気的独立状態に戻るとともに、駆動部材４０と操作部材５０が元の状態に戻る。
【００２０】
以上、本考案について最良の実施の形態を参照し詳細に説明したが、実施形態はあくまでも例示的なものであり、これらに限定されるものではない。また前記の説明、本考案に基づきなし得る細部の修正或いは変更などは、いずれも本考案の実用新案登録請求の範囲に属するものである。
【図面の簡単な説明】
【００２１】
【図１】本考案のプッシュオンスイッチの分解斜視図である。
【図２】図１に示すプッシュオンスイッチの他の分解斜視図である。
【図３】図１に示すプッシュオンスイッチの組み合わせの斜視図である。
【図４】図３に示すプッシュオンスイッチのＩＶ―ＩＶ線で切断した断面視図である。
【符号の説明】
【００２２】
１００  プッシュオンスイッチ
１０  絶縁性本体
１１  底壁
１２  前壁
１２１  突出部
１３  後壁
１４  側壁
１５  収納穴
１６  第１開口部
１７  第２開口部
１８  凸状部片
２０  固定端子
２１  第１固定端子
２１１  第１接点
２１２  第１半田接続部
２２  第２固定端子
２２１  第２接点
２２２  第２第２半田接続部
３０  可動端子
３１  中央部
３２  側部
４０  駆動部材
４１  係合部
４１１  係合溝
４２  本体部
４２１  接触部
４２３  スロット
４３  当接部
４３１  当接面
５０  操作部材
５１  操作部
５２  押圧部
５３  支持部
５４  傾斜面
６０  カバー
６１  天板
６２  係合片
６３  係合孔
６４  延在片
【図１】
0003140526.tif 000003
【図２】
0003140526.tif 000004
【図３】
0003140526.tif 000005
【図４】
0003140526.tif 000006